(57)【要約】【課題】ユーザが振込先を容易に見つけることができる振込先一覧表示システム及び振込先一覧表示方法を提供すること。【解決手段】振込先一覧表示システム１は、振込受付システム２０が、予め登録された振込先口座を特定する振込先口座情報に、当該振込先口座に振り込まれた振込金が使われる目的を示す振込金目的情報を対応付けて記憶する振込先管理ＤＢ２１０と、振込先管理ＤＢ２１０を参照し、端末１０において、振込先口座情報を振込金目的情報毎に分類して表示するための振込先選択画面情報を生成する振込先選択画面情報生成手段２０２と、を備え、端末１０の端末制御手段１０２は、振込受付システム２０から受信した振込先選択画面情報に基づき、入出力手段１０１に表示した振込依頼画面において、振込先口座情報を振込金目的情報毎に分類して表示する制御を行う。【選択図】図２
2014048740.tif 000002
【特許請求の範囲】
【請求項１】
ユーザに操作される端末と、前記端末にネットワークを介して接続され、振込依頼を受け付ける振込受付システムと、を備える振込先一覧表示システムであって、
前記振込受付システムは、
予め登録された振込先口座を特定する振込先口座情報に、当該振込先口座に振り込まれた振込金が使われる目的を示す振込金目的情報を対応付けて記憶する振込先管理記憶手段と、
前記振込先管理記憶手段を参照し、前記端末において、前記振込先口座情報を前記振込金目的情報毎に分類して表示するための振込先選択画面情報を生成する振込先選択画面情報生成手段と、
前記振込先選択画面情報生成手段が生成した前記振込先選択画面情報を前記端末に送信する振込先選択画面情報送信手段と、を備え、
前記端末は、
振込依頼を受け付ける振込依頼画面を表示する表示手段と、
前記振込先選択画面情報を前記振込受付システムから受信し、前記表示手段の表示を制御する端末制御手段と、を備え、
前記端末制御手段は、受信した前記振込先選択画面情報に基づき、前記振込依頼画面において、前記振込先口座情報を前記振込金目的情報毎に分類して表示する制御を行うことを特徴とする振込先一覧表示システム。
【請求項２】
前記振込先管理記憶手段に記憶された前記振込先口座情報は、振込金の使い途の概要を示す概要情報を含み、
前記振込先選択画面情報生成手段は、前記端末において、前記概要情報を前記振込金目的情報毎に分類して表示するための振込先選択画面情報を生成し、
前記端末制御手段は、受信した前記振込先選択画面情報に基づき、前記振込依頼画面において、前記概要情報を前記振込金目的情報毎に分類して表示する制御を行うことを特徴とする請求項１に記載の振込先一覧表示システム。
【請求項３】
前記振込受付システムにネットワークを介して接続され、前記振込受付システムから送信された振込処理依頼情報に基づき振込処理を行う勘定系システムを、更に、備え、
前記振込先管理記憶手段は、前記振込先口座情報において、前記概要情報に、振込先の口座番号を示す口座番号情報を対応付けて記憶し、
前記端末は、ユーザが操作可能な入力手段を、更に、備え、
前記端末制御手段は、前記入力手段において、前記概要情報が前記ユーザに選択されたことに基づき、当該概要情報を前記振込受付システムに送信し、
前記振込受付システムは、
前記振込先管理記憶手段を参照して、前記端末制御手段から受信した前記概要情報の前記口座番号情報を特定する口座番号特定手段と、
前記口座番号特定手段が特定した前記口座番号情報を含む前記振込処理依頼情報を生成する振込処理依頼情報生成手段と、
前記振込処理依頼情報生成手段が生成した前記振込処理依頼情報を、前記勘定系システムに送信する振込処理依頼情報送信手段と、を更に備えることを特徴とする請求項２に記載の振込先一覧表示システム。
【請求項４】
前記振込受付システムは、前記端末におけるユーザの操作により、振込処理の繰り延べを承認することを示す振込繰り延べ承認情報を受け付ける振込繰り延べ承認受付手段を、更に、備え、
前記振込処理依頼情報生成手段は、前記振込繰り延べ承認情報を、更に、含む前記振込処理依頼情報を生成し、
前記勘定系システムは、前記振込処理依頼情報に前記振込繰り延べ承認情報が含まれていた場合、前記振込処理依頼情報を、前記振込処理依頼情報を一時的に蓄積する振込蓄積手段に記憶させることを特徴とする請求項３に記載の振込先一覧表示システム。
【請求項５】
前記振込先選択画面情報生成手段は、前記端末において、ユーザが複数の前記概要情報を選択可能な前記振込先選択画面情報を生成し、
前記端末制御手段は、前記入力手段において、複数の前記概要情報がユーザに選択されたことに基づき、複数の前記概要情報を前記振込受付システムに送信し、
前記口座番号特定手段は、前記振込先管理記憶手段を参照して、前記端末制御手段から受信した複数の前記概要情報の前記口座番号情報をそれぞれ特定し、
前記振込処理依頼情報生成手段は、前記口座番号特定手段が特定した前記口座番号情報を含む複数の前記振込処理依頼情報をそれぞれ生成し、
前記振込処理依頼情報送信手段は、前記振込処理依頼情報生成手段が生成した複数の前記振込処理依頼情報を、それぞれ前記勘定系システムに送信することを特徴とする請求項３又は４に記載の振込先一覧表示システム。
【請求項６】
前記概要情報には、予め設定された振込金の総額を示す目標振込金総額情報及び振り込まれた振込金の累計額を示す累計額情報を含み、
前記端末制御手段は、前記入力手段においてユーザに入力された振込金の金額を示す振込金額情報を、前記振込受付システムに送信し、
前記振込受付システムは、前記端末制御手段から受信した前記振込金額情報の値を、前記振込先管理記憶手段において、前記口座番号特定手段が特定した前記口座番号情報に対応付けられた前記累計額情報の値に、加算する累計額算出手段を、更に、備えることを特徴とする請求項３から５のいずれかに記載の振込先一覧表示システム。
【請求項７】
ユーザに操作される端末と、前記端末にネットワークを介して接続され、振込依頼を受け付ける振込受付システムと、を備える振込先一覧表示システムが実行する振込先一覧表示方法であって、
前記振込受付システムが実行する方法は、
予め登録された振込先口座を特定する振込先口座情報に、当該振込先口座に振り込まれた振込金が使われる目的を示す振込金目的情報を対応付けて記憶する振込先管理記憶手段を参照し、前記端末において、前記振込先口座情報を前記振込金目的情報毎に分類して表示するための振込先選択画面情報を生成する振込先選択画面情報生成段階と、
前記振込先選択画面情報生成段階で生成した前記振込先選択画面情報を前記端末に送信する振込先選択画面情報送信段階と、を含み、
前記端末が実行する方法は、
前記振込先選択画面情報を前記振込受付システムから受信し、振込依頼を受け付ける振込依頼画面を表示する表示手段の表示を制御する端末制御段階を含み、
前記端末制御段階は、受信した前記振込先選択画面情報に基づき、前記振込依頼画面において、前記振込先口座情報を前記振込金目的情報毎に分類して表示する制御を行うことを特徴とする振込先一覧表示方法。
【発明の詳細な説明】
【技術分野】
【０００１】
本発明は、振込先一覧表示システム及び振込先一覧表示システムの振込先一覧表示方法に関する。
【背景技術】
【０００２】
従来、ユーザは、銀行や店舗に設けられた自動取引装置や、携帯端末等を操作することで、所定の口座への振込を行うことができる。ユーザは、振込を行う場合、自動取引装置等において、振込先金融機関の選択、支店の選択、振込金額の入力、振込先の口座番号の入力等、煩雑な操作を行う必要がある。
【０００３】
そこで、募金種類項目を画面表示し、上記募金種類項目の選択入力に基づき、予め登録された金融機関名や口座番号等の募金の振込先情報に従って募金取引を行う募金取引システムが提案されている（例えば、特許文献１参照）。この募金取引システムによれば、ユーザに選択される募金種類項目に、募金の振込先名や口座番号等が対応付けられており、ユーザは、金額の入力操作だけで、募金の振込先名や口座番号等の取引情報の入力操作を行うことなく、振り込むことができるので、振込におけるユーザの操作負荷を軽減できる。
【先行技術文献】
【特許文献】
【０００４】
【特許文献１】特開平７−２２５８０１号公報
【発明の概要】
【発明が解決しようとする課題】
【０００５】
しかしながら、例えば、募金を集める口座の種類が数種類であれば、特許文献１の募金取引システムであっても、ユーザは選択したい種類の募金を容易に見つけることができたとしても、募金を集める口座の種類が多くなるほど、ユーザは選択したい種類の募金を見つけることが困難になる。
【０００６】
本発明は、上記のような課題に鑑み、なされたものであり、ユーザが振込先を容易に見つけることができる振込先一覧表示システム及び振込先一覧表示方法を提供することを目的とする。
【課題を解決するための手段】
【０００７】
上記のような課題を解決するため、本発明の振込先一覧表示システム及び振込先一覧表示方法は、以下のような特徴を備える。
【０００８】
本発明の振込先一覧表示システムは、ユーザに操作される端末と、前記端末にネットワークを介して接続され、振込依頼を受け付ける振込受付システムと、を備える振込先一覧表示システムであって、前記振込受付システムは、予め登録された振込先口座を特定する振込先口座情報に、当該振込先口座に振り込まれた振込金が使われる目的を示す振込金目的情報を対応付けて記憶する振込先管理記憶手段と、前記振込先管理記憶手段を参照し、前記端末において、前記振込先口座情報を前記振込金目的情報毎に分類して表示するための振込先選択画面情報を生成する振込先選択画面情報生成手段と、前記振込先選択画面情報生成手段が生成した前記振込先選択画面情報を前記端末に送信する振込先選択画面情報送信手段と、を備え、前記端末は、振込依頼を受け付ける振込依頼画面を表示する表示手段と、前記振込先選択画面情報を前記振込受付システムから受信し、前記表示手段の表示を制御する端末制御手段と、を備え、前記端末制御手段は、受信した前記振込先選択画面情報に基づき、前記振込依頼画面において、前記振込先口座情報を前記振込金目的情報毎に分類して表示する制御を行うことを特徴とする。
【０００９】
上記構成によれば、振込先一覧表示システムは、ユーザに操作される端末と、端末にネットワークを介して接続され、振込依頼を受け付ける振込受付システムと、を備える。振込受付システムにおいて、振込先管理記憶手段は、予め登録された振込先口座を特定する振込先口座情報に、当該振込先口座に振り込まれた振込金が使われる目的を示す振込金目的情報を対応付けて記憶する。振込先選択画面情報生成手段は、振込先管理記憶手段を参照し、端末において、振込先口座情報を振込金目的情報毎に分類して表示するための振込先選択画面情報を生成する。振込先選択画面情報送信手段は、振込先選択画面情報生成手段が生成した振込先選択画面情報を前記端末に送信する。端末において、表示手段は、振込依頼を受け付ける振込依頼画面を表示する。端末制御手段は、振込先選択画面情報を振込受付システムから受信し、表示手段の表示を制御する。そして、端末制御手段は、受信した振込先選択画面情報に基づき、振込依頼画面において、振込先口座情報を振込金目的情報毎に分類して表示する制御を行う。
【００１０】
本発明によれば、振込先口座を特定するための振込先口座情報を、振込金が使われる目的を示す振込金目的情報毎に対応付けて記憶し、これに基づき、ユーザに操作される端末において、振込先口座情報を振込金目的情報毎に分類して表示する。これにより、ユーザは、振込依頼を受け付ける振込依頼画面において、振込金が使われる目的毎に分類されて表示された振込先口座情報の中から、自分が振込をしたい振込先口座情報を探すことができる。
【００１１】
ここで、「振込金が使われる目的」を具体例で説明すると、例えば、振込金が義捐金であれば、この義捐金が使われる目的は、医療、教育、公共施設の復興等である。上記の例で説明すると、例えば、大災害の後にはそれぞれ違う目的をもつ義捐金の振込先となる口座が大量に設けられる。このような場合、ユーザは、自分が振込たい義捐金の口座を見つけるのが困難になる。本発明によれば、例えば、義捐金の口座を特定するための情報を、その目的毎、例えば、医療、教育、復興等に分類して表示するので、ユーザは、自分が振込たい振込先の義捐金が医療に使われるものであれば、医療で分類された部分だけ探せば、当該振込先を見つけることができる。したがって、ユーザが振込先を容易に見つけることができる振込先一覧表示システムを提供できる。
【００１２】
また、上記振込先一覧表示システムの発明は、さらに以下の特徴を備えることができる。前記振込先管理記憶手段に記憶された前記振込先口座情報は、振込金の使い途の概要を示す概要情報を含み、前記振込先選択画面情報生成手段は、前記端末において、前記概要情報を前記振込金目的情報毎に分類して表示するための振込先選択画面情報を生成し、前記端末制御手段は、受信した前記振込先選択画面情報に基づき、前記振込依頼画面において、前記概要情報を前記振込金目的情報毎に分類して表示する制御を行うことを特徴とする。
【００１３】
本発明によれば、ユーザは、振込依頼を受け付ける振込依頼画面において、振込金が使われる目的で分類されて表示された、振込金の使い途の概要を示す概要情報の中から、自分が振込をしたい振込先口座情報を探すことができる。
【００１４】
ここで、例えば、義捐金を募る非営利団体等の中には、活動内容が知られていない場合がある。本発明によれば、振込金の使い途の概要を示す概要情報を端末に表示することで、上記のような非営利団体の広報に繋がる。したがって、ユーザが振込先を容易に見つけることができるとともに、振込先の広報に繋がる振込先一覧表示システムを提供できる。
【００１５】
また、上記振込先一覧表示システムの発明は、さらに以下の特徴を備えることができる。前記振込受付システムにネットワークを介して接続され、前記振込受付システムから送信された振込処理依頼情報に基づき振込処理を行う勘定系システムを、更に、備え、前記振込先管理記憶手段は、前記振込先口座情報において、前記概要情報に、振込先の口座番号を示す口座番号情報を対応付けて記憶し、前記端末は、ユーザが操作可能な入力手段を、更に、備え、前記端末制御手段は、前記入力手段において、前記概要情報が前記ユーザに選択されたことに基づき、当該概要情報を前記振込受付システムに送信し、前記振込受付システムは、前記振込先管理記憶手段を参照して、前記端末制御手段から受信した前記概要情報の前記口座番号情報を特定する口座番号特定手段と、前記口座番号特定手段が特定した前記口座番号情報を含む前記振込処理依頼情報を生成する振込処理依頼情報生成手段と、前記振込処理依頼情報生成手段が生成した前記振込処理依頼情報を、前記勘定系システムに送信する振込処理依頼情報送信手段と、を更に備えることを特徴とする。
【００１６】
本発明によれば、ユーザは、振込依頼を受け付ける振込依頼画面において、振込金が使われる目的で分類されて表示された、振込金の使い途の概要を示す概要情報を選択することで、選択した概要情報に対応付けられた口座番号の口座に振込できる。
【００１７】
これにより、例えば、復興活動に対して義捐金を送りたいと考えたユーザは、予め振込先を決めていなくても、目的別に分類されて端末に表示された振込金の使い途の概要を示す概要情報を見て、振込先を選択するだけで、振込できる。
【００１８】
また、上記振込先一覧表示システムの発明は、さらに以下の特徴を備えることができる。前記振込受付システムは、前記端末におけるユーザの操作により、振込処理の繰り延べを承認することを示す振込繰り延べ承認情報を受け付ける振込繰り延べ承認受付手段を、更に、備え、前記振込処理依頼情報生成手段は、前記振込繰り延べ承認情報を、更に、含む前記振込処理依頼情報を生成し、前記勘定系システムは、前記振込処理依頼情報に前記振込繰り延べ承認情報が含まれていた場合、前記振込処理依頼情報を、前記振込処理依頼情報を一時的に蓄積する振込蓄積手段に記憶させることを特徴とする。
【００１９】
本発明によれば、ユーザにより振込処理の繰り延べが承認されたことを示す振込繰り延べ承認情報を含む振込処理依頼情報については、振込処理依頼情報を一時的に蓄積することができる。これにより、勘定系システムは蓄積した振込処理依頼情報を、例えば、振込処理の制御負荷が比較的低いときに、蓄積した振込処理依頼情報を振込処理できるので、勘定系システムの制御負荷を軽減できる。
【００２０】
また、上記振込先一覧表示システムの発明は、さらに以下の特徴を備えることができる。前記振込先選択画面情報生成手段は、前記端末において、ユーザが複数の前記概要情報を選択可能な前記振込先選択画面情報を生成し、前記端末制御手段は、前記入力手段において、複数の前記概要情報がユーザに選択されたことに基づき、複数の前記概要情報を前記振込受付システムに送信し、前記口座番号特定手段は、前記振込先管理記憶手段を参照して、前記端末制御手段から受信した複数の前記概要情報の前記口座番号情報をそれぞれ特定し、前記振込処理依頼情報生成手段は、前記口座番号特定手段が特定した前記口座番号情報を含む複数の前記振込処理依頼情報をそれぞれ生成し、前記振込処理依頼情報送信手段は、前記振込処理依頼情報生成手段が生成した複数の前記振込処理依頼情報を、それぞれ前記勘定系システムに送信することを特徴とする。
【００２１】
本発明によれば、ユーザにより複数の概要情報が選択された場合には、それぞれの振込依頼情報を勘定系システムに送信できる。これにより、例えば、復興活動に対して義捐金を送りたいと考えたユーザは、端末により１回の振込受付システムへのアクセスにおいて、復興活動の義捐金を募る概要情報を複数選択し振込依頼をすることで、複数箇所への募金を１回のアクセスにより行うことができる。よって、振込受付システムのアクセス負荷及びユーザの手続負担を軽減できる。
【００２２】
また、上記振込先一覧表示システムの発明は、さらに以下の特徴を備えることができる。前記概要情報には、予め設定された振込金の総額を示す目標振込金総額情報及び振り込まれた振込金の累計額を示す累計額情報を含み、前記端末制御手段は、前記入力手段においてユーザに入力された振込金の金額を示す振込金額情報を、前記振込受付システムに送信し、前記振込受付システムは、前記端末制御手段から受信した前記振込金額情報の値を、前記振込先管理記憶手段において、前記口座番号特定手段が特定した前記口座番号情報に対応付けられた前記累計額情報の値に、加算する累計額算出手段を、更に、備えることを特徴とする。
【００２３】
本発明によれば、ユーザの操作する端末において、予め設定された振込金の総額を示す目標振込金総額及び振り込まれた振込金の累計額を表示できる。これにより、例えば、復興活動に対して義捐金を送りたいと考えたユーザは、復興活動の義捐金を募る概要情報における目標振込金総額を見ることで復興活動の規模の大きさを知ることができ、累計額を見ることで義捐金がどれくらい集まっているかを知ることができる。よって、ユーザの、例えば、復興活動への募金に対する意欲を向上できる。
【００２４】
また、本発明は、以下のように、振込先一覧表示方法と捉えることも可能である。ユーザに操作される端末と、前記端末にネットワークを介して接続され、振込依頼を受け付ける振込受付システムと、を備える振込先一覧表示システムが実行する振込先一覧表示方法であって、前記振込受付システムが実行する方法は、予め登録された振込先口座を特定する振込先口座情報に、当該振込先口座に振り込まれた振込金が使われる目的を示す振込金目的情報を対応付けて記憶する振込先管理記憶手段を参照し、前記端末において、前記振込先口座情報を前記振込金目的情報毎に分類して表示するための振込先選択画面情報を生成する振込先選択画面情報生成段階と、前記振込先選択画面情報生成段階で生成した前記振込先選択画面情報を前記端末に送信する振込先選択画面情報送信段階と、を含み、前記端末が実行する方法は、前記振込先選択画面情報を前記振込受付システムから受信し、振込依頼を受け付ける振込依頼画面を表示する表示手段の表示を制御する端末制御段階を含み、前記端末制御段階は、受信した前記振込先選択画面情報に基づき、前記振込依頼画面において、前記振込先口座情報を前記振込金目的情報毎に分類して表示する制御を行うことを特徴とする振込先一覧表示方法。
【発明の効果】
【００２５】
本発明によれば、ユーザが振込先を容易に見つけることができる振込先一覧表示システム及び振込先一覧表示方法を提供することができる。
【図面の簡単な説明】
【００２６】
【図１】本発明の実施形態に係る振込先一覧表示システムの概要を示す図である。
【図２】本発明の実施形態に係る振込先一覧表示システムの機能ブロックを示す図である。
【図３】本発明の実施形態に係る入出力手段に表示される振込依頼初期画面の一例を示す図である。
【図４】本発明の実施形態に係る振込先管理ＤＢを説明する図である。
【図５】本発明の実施形態に係る入出力手段に表示される振込先選択画面の一例を示す図である。
【図６】本発明の実施形態に係る入出力手段に表示される振込繰り延べ承認画面の一例を示す図である。
【図７】本発明の実施形態に係る入出力手段に表示される振込手続完了画面の一例を示す図である。
【図８】本発明の実施形態に係る振込先一覧表示システムが実行する振込先一覧表示処理を説明する図である。
【図９】本発明の実施形態に係る振込受付システム及び勘定系システムが実行する振込処理を説明する図である。
【発明を実施するための形態】
【００２７】
以下、添付図面を参照して、本発明を実施するための形態（以下、実施形態）について詳細に説明する。なお、実施形態の説明の全体を通して同じ構成には同じ番号（符号）を付している。
【００２８】
まず、本発明の実施形態に係る振込先一覧表示システム１の概要について説明する。図１は、本発明の実施形態に係る振込先一覧表示システム１の概要を示す図である。
【００２９】
振込先一覧表示システム１は、ユーザに操作される端末１０と、端末１０とネットワークを介して接続され、振込先口座への振込依頼を受け付ける振込受付システム２０と、振込受付システム２０にネットワークを介して接続され、振込処理を行う勘定系システム３０と、振込依頼の内容を示す情報である振込処理依頼情報を一時的に蓄積する振込蓄積データベース（以降、振込蓄積ＤＢとも言う）４０と、を備える。
【００３０】
ここで、本実施形態の「端末」には、銀行や店舗に設置されるＡＴＭ(Automated  Teller  Machine;現金自動預払機または自動取引装置)の他、ネットワークに接続可能な一般的な携帯端末やパーソナルコンピュータが含まれる。すなわち、本実施形態は、ユーザが端末の操作により、銀行のホームページ等で、自分の口座から他人の口座へ振り込むことができる、所謂インターネットバンキングにも適用することができる。
【００３１】
次に、本発明の実施形態に係る振込先一覧表示システム１の機能構成について説明する。図２は、本発明の実施形態に係る振込先一覧表示システム１の機能ブロックを示す図である。
【００３２】
端末１０は、入出力手段１０１と、端末制御手段１０２と、を備える。入出力手段１０１は、例えば、タッチパネルで構成され、端末制御手段１０２に制御され、振込に関する情報を入力する振込依頼画面を表示し、当該振込依頼画面において、ユーザの操作（例えば、振込先の選択操作）を受け付ける。即ち、入出力手段１０１は、振込依頼を受け付ける振込依頼画面を表示する表示手段の一例であり、ユーザが操作可能な入力手段の一例である。ここで、本実施形態において、振込依頼画面は、振込依頼初期画面、振込先選択画面、振込繰り延べ承認画面、振込手続完了画面が含まれる。これらの画面の詳細については後述する。
【００３３】
端末制御手段１０２は、入出力手段１０１に振込依頼画面を表示する制御を行う。端末制御手段１０２は、振込受付システム２０から振込依頼画面に関する情報を受信し、この受信した情報に基づき入出力手段１０１の表示を制御する。また、端末制御手段１０２は、入出力手段１０１におけるユーザの操作に基づく情報を振込受付システム２０に送信する。振込受付システム２０から受信する情報及び振込受付システム２０に送信する情報の詳細は後述する。
【００３４】
図３は、本発明の実施形態に係る入出力手段１０１に表示される振込依頼初期画面の一例を示す図である。振込依頼初期画面にはユーザが端末１０において、行うことができる手続がボタンで表示され、ユーザはこれらのボタンのいずれかを操作することで、各ボタンに対応付けられた手続を行うことができる。
【００３５】
端末制御手段１０２は、入出力手段１０１に表示した振込依頼初期画面において、義捐金振込と表示されたボタンが、ユーザにより操作されると、特定の振込依頼を受け付けたことを示す特定振込依頼情報を振込受付システム２０に送信する。本実施形態において、特定の振込依頼とは、例えば、ユーザにより、義捐金として振込むことが選択された振込依頼である。なお、特定の振込依頼は、義捐金として振込むことに限定されず、例えば、入学金、難病治療の支援、草の根企業支援等、多様な振込依頼に適用することができる。
【００３６】
なお、端末制御手段１０２は、通常振込と表示されたボタンが、ユーザにより操作されると、口座番号、振込金額、振込人等の入力をユーザに促す、一般的な振込依頼画面を、入出力手段１０１に表示する制御を行う。そして、端末制御手段１０２は、ユーザにより入力された口座番号を示す口座番号情報、振込金額を示す振込金額情報、振込人を示す振込人情報を振込受付システム２０に送信する。
【００３７】
振込受付システム２０は、振込依頼受付手段２０１と、振込先選択画面情報生成手段２０２と、振込先選択画面情報送信手段２０３と、口座番号特定手段２０４と、振込繰り延べ承認受付手段２０５と、振込処理依頼情報生成手段２０６と、振込処理依頼情報送信手段２０７と、累計額算出手段２０８と、振込先管理データベース（以降、振込先管理ＤＢとも言う）２１０と、を備える。
【００３８】
振込依頼受付手段２０１は、端末１０の端末制御手段１０２から特定振込依頼情報を受信する。また、振込依頼受付手段２０１は、端末１０の端末制御手段１０２から、後述する概要情報を受信する。なお、振込依頼受付手段２０１は、特定振込依頼情報を受信しない場合、端末１０においてユーザが入力した口座番号を示す口座番号情報、振込金額を示す振込金額情報、振込人を示す振込人情報を受信する。
【００３９】
振込先選択画面情報生成手段２０２は、振込依頼受付手段２０１が特定振込依頼情報を受信すると、振込先管理ＤＢ２１０を参照し、端末１０において、振込先口座情報を振込金目的情報毎に分類して表示するための振込先選択画面情報を生成する。
【００４０】
図４は、本発明の実施形態に係る振込先管理ＤＢ２１０を説明する図である。振込先管理ＤＢ２１０は、予め登録された振込先口座を特定する振込先口座情報に、当該振込先口座に振り込まれた振込金が使われる目的を示す振込金目的情報を対応付けて記憶する。本実施形態において、振込先口座情報には、例えば、口座番号を示す口座番号情報、口座名義を示す口座名義情報、当該振込先口座に振込まれた振込金の使い途の概要を示す概要情報及び当該振込先口座を設けて義捐金を募る趣旨や義捐金を使う事業内容等を示す詳細情報が含まれる。また、概要情報には、予め設定された振込金の総額を示す目標振込金総額情報としての目標募金総額情報及び振り込まれた振込金の累計額を示す累計額情報としての募金累計金額情報が含まれる。なお、概要情報には、予め設定された振込金の総額に対する現在の振り込まれた振込金の累計額の割合である達成度を示す募金達成度情報を含めてもよい。
【００４１】
振込先選択画面情報生成手段２０２は、詳細には、それぞれ口座名義情報に対応付けられた概要情報を振込金目的情報毎に分類して表示するための振込先選択画面情報を生成する。また、振込先選択画面情報生成手段は、端末１０において、ユーザが複数の概要情報を選択可能な振込先選択画面情報を生成する。また、振込先選択画面情報生成手段２０２は、概要情報に対応付けて詳細情報を表示するための振込先選択画面情報を生成してもよい。なお、この場合、振込先選択画面情報生成手段２０２は、例えば、ユーザの所定の操作に基づき、詳細情報を表示するスクリプトを含めて振込先選択画面情報を生成してもよい。
【００４２】
このように、振込先選択画面情報生成手段２０２は、端末１０において、振込金の使い途の概要を示す概要情報及び詳細を示す詳細情報を段階的に表示するための振込先選択画面情報を生成することもできる。これにより、例えば、振込金の使い途を知っているユーザは概要情報のみの表示で振込先を選択することができるとともに、振込金の使い途を知らないユーザは詳細情報まで表示させることで、振込金の使い途を詳細に確認することができる。
【００４３】
振込先選択画面情報送信手段２０３は、振込先選択画面情報生成手段２０２が生成した振込先選択画面情報を端末１０に送信する。
【００４４】
端末１０の端末制御手段１０２（図２参照）は、振込受付システム２０から受信した振込先選択画面情報に基づき、入出力手段１０１に表示する振込依頼画面において、前記振込先口座情報を振込金目的情報毎に分類して表示する制御を行う。詳細には、端末制御手段１０２は、受信した振込先選択画面情報に基づき、入出力手段１０１に表示する振込依頼画面のうち振込先選択画面において、概要情報を振込金目的情報毎に分類して表示する制御を行う。
【００４５】
図５は、本発明の実施形態に係る入出力手段１０１に表示される振込先選択画面の一例を示す図である。図５に示す例において、振込先選択画面には、振込金目的情報に基づく振込金目的として「医療」、「教育」、「復興」等の文字が付されたタブが表示され、これらのタブ毎に、振込先管理ＤＢ（図４参照）において各振込金目的情報に対応付けられた概要情報が表示されている。図５に示す例では、「医療」のタブにおいて、図４に示す振込先管理ＤＢのとおり、振込金目的情報「医療」に対応付けられた概要情報である「×××病院再建事業」、「ＹＹ町に薬を送ろう！」等が表示されている。また、図５に示す例において、「×××病院再建事業」に付された下線は、ユーザが手続を進めている概要情報であることを示し、「ＹＹ町に薬を送ろう！」の先頭に付されている黒丸は、既に、ユーザに選択された概要情報であることを示す。即ち、ユーザは、振込先選択画面において、複数の概要情報を選択可能である。また、振込先選択画面には、概要情報として、「×××病院再建事業」、「ＹＹ町に薬を送ろう！」等の目標募金総額及び募金累計金額がそれぞれ表示されている。端末制御手段１０２は、ユーザにより、これら表示した概要情報のいずれかが選択操作された場合に、この選択された概要情報を振込先と特定する。また、端末制御手段１０２は、ユーザの選択操作により、複数の概要情報が選択された場合には、これら選択された複数の概要情報を、それぞれ複数の振込先として特定する。また、振込先選択画面には、各概要情報に対応した詳細ボタンが表示されている。端末制御手段１０２は、ユーザにより、詳細ボタンが操作されると、当該詳細ボタンに対応した概要情報に対応付けられた詳細情報を表示する。
【００４６】
また、端末制御手段１０２は、振込先選択画面において、ユーザが入力可能な振込金額の入力欄、ユーザが入力可能な振込人の名前の入力欄、ユーザが操作可能な戻るボタン及び次へボタンを表示する。端末制御手段１０２は、ユーザにより戻るボタンが操作された場合、入出力手段１０１に表示する画面を、振込先選択画面から振込依頼初期画面に遷移させる。また、端末制御手段１０２は、ユーザにより次へボタンが操作された場合、入出力手段１０１に表示する画面を、振込先選択画面から振込繰り延べ承認画面に遷移させる。
【００４７】
図６は、本発明の実施形態に係る入出力手段１０１に表示される振込繰り延べ承認画面の一例を示す図である。端末制御手段１０２は、振込繰り延べ承認画面において、振込先選択画面（図５参照）でユーザに選択された概要情報をタイトルとして表示し、当該概要情報に対応付けられた口座名義情報を振込先として表示し、振込先選択画面でユーザに入力された振込金額を表示する。
【００４８】
また、端末制御手段１０２は、振込繰り延べ承認画面において、ユーザに振込処理の繰り延べの承認を求める表示をするとともに、ユーザが操作可能な「承諾しない」ボタン、「承諾して手続を完了する」ボタン及び「承諾して更に検索する」ボタンを表示する。端末制御手段１０２は、ユーザにより「承諾しない」ボタンが操作された場合、入出力手段１０１に表示する画面を、振込繰り延べ承認画面から振込依頼初期画面（図３参照）に遷移させる。また、端末制御手段１０２は、ユーザにより「承諾して手続を完了する」ボタンが操作された場合、入出力手段１０１に表示する画面を、振込繰り延べ承認画面から後述する振込手続完了画面に遷移させる。また、ユーザにより「承諾して更に検索する」ボタンが操作された場合、入出力手段１０１に表示する画面を、振込繰り延べ承認画面から振込先選択画面（図５参照）に遷移させる。
【００４９】
図７は、本発明の実施形態に係る入出力手段１０１に表示される振込手続完了画面の一例を示す図である。端末制御手段１０２は、振込手続完了画面において、手続が完了した旨及びユーザへのお礼等を表示する。
【００５０】
図２に戻って、端末制御手段１０２は、振込繰り延べ承認画面（図６参照）において、ユーザにより次へボタンが操作された場合、振込先選択画面（図５参照）でユーザに選択された概要情報、ユーザに入力された振込金額情報、ユーザに入力された振込人を示す振込人情報及び振込処理の繰り延べを承認することを示す振込繰り延べ承認情報を、振込受付システム２０に送信する。また、端末制御手段１０２は、入出力手段１０１において、複数の概要情報がユーザに選択されたことに基づき、複数の概要情報を振込受付システム２０に送信する。振込受付システム２０の振込依頼受付手段２０１は、端末１０から送信された概要情報、振込金額情報及び振込人情報を受信する。
【００５１】
口座番号特定手段２０４は、振込先管理ＤＢ２１０（図４参照）を参照して、振込依頼受付手段２０１が受信した概要情報の口座番号情報を特定する。また、口座番号特定手段２０４は、振込先管理ＤＢ２１０を参照して、端末制御手段１０２から受信した複数の概要情報の口座番号情報をそれぞれ特定する。振込繰り延べ承認受付手段２０５は、端末１０から送信された振込繰り延べ承認情報を受け付ける。
【００５２】
振込処理依頼情報生成手段２０６は、口座番号特定手段２０４が特定した口座番号情報を含む振込処理依頼情報を生成する。また、振込処理依頼情報生成手段２０６は、口座番号特定手段２０４が特定した口座番号情報を含む複数の振込処理依頼情報をそれぞれ生成する。また、振込処理依頼情報生成手段２０６は、振込繰り延べ承認受付手段２０５が受け付けた振込繰り延べ承認情報を、更に、含む振込処理依頼情報を生成する。詳細には、振込処理依頼情報生成手段２０６は、振込依頼受付手段２０１が受信した振込金額情報及び振込人情報と、口座番号特定手段２０４が特定した口座番号情報と、振込繰り延べ承認受付手段２０５が受け付けた振込繰り延べ承認情報と、を含む振込処理依頼情報を生成する。
【００５３】
また、振込処理依頼情報生成手段２０６は、振込依頼受付手段２０１が端末１０から特定振込依頼情報を受信していない場合には、端末１０においてユーザが入力した口座番号を示す口座番号情報と、振込金額を示す振込金額情報と、振込人を示す振込人情報と、を含む振込処理依頼情報を生成する。即ち、振込処理依頼情報生成手段２０６は、振込依頼受付手段２０１が端末１０から特定振込依頼情報を受信した場合には振込繰り延べ承認情報を含む振込処理依頼情報を生成し、特定振込依頼情報を受信していない場合には振込繰り延べ承認情報を含まない振込処理依頼情報を生成する。
【００５４】
振込処理依頼情報送信手段２０７は、振込処理依頼情報生成手段２０６が生成した振込処理依頼情報を勘定系システム３０に送信する。また、振込処理依頼情報送信手段２０７は、振込処理依頼情報生成手段２０６が生成した複数の振込処理依頼情報を、それぞれ勘定系システム３０に送信する。
【００５５】
累計額算出手段２０８は、端末制御手段１０２から受信した振込金額情報の値を、振込先管理ＤＢ（図４参照）において、口座番号特定手段２０４が特定した口座番号情報に対応付けられた累計額情報の値に、加算する。
【００５６】
勘定系システム３０は、振込依頼情報受信手段３０１と、振込依頼情報判定蓄積手段３０２と、振込処理実行手段３０３と、振込依頼格納データベース（以降、振込依頼格納ＤＢとも言う）３１０と、を備える。
【００５７】
振込依頼情報受信手段３０１は、振込受付システム２０の振込処理依頼情報送信手段２０７から送信された振込処理依頼情報を受信する。
【００５８】
振込依頼情報判定蓄積手段３０２は、振込依頼情報受信手段３０１で受信した振込処理依頼情報に、振込繰り延べ承認情報が含まれているか否かを判定する。振込依頼情報判定蓄積手段３０２は、振込処理依頼情報に振込繰り延べ承認情報が含まれていた場合には当該振込処理依頼情報を振込蓄積ＤＢ４０に格納する。一方、振込依頼情報判定蓄積手段３０２は、振込処理依頼情報に振込繰り延べ承認情報が含まれていなかった場合には当該振込処理依頼情報を振込依頼格納ＤＢ３１０に順次格納する。
【００５９】
振込処理実行手段３０３は、振込依頼格納ＤＢ３１０から振込処理依頼情報を読み出し、当該振込処理依頼情報に基づき、振込先の口座に入金する処理を実行する。また、振込処理実行手段３０３は、所定の周期（例えば、１日毎）や振込処理の負荷が比較的低いときに、例えば、バッチ処理により、振込蓄積ＤＢ４０に格納された振込処理依頼情報を読み出し、当該振込処理依頼情報に基づき、振込先の口座に入金する処理を実行する。
【００６０】
なお、図２に示した機能ブロックは、あくまでも一例であり、一つの機能部を分割したり、複数の機能部をまとめて一つの機能部として構成してもよい。端末や各システムも一台とは限らず、複数台であってもよい。各機能部は、端末や各システムに内蔵されたＣＰＵ(Central  Processing  Unit)が、ＲＯＭ(Read  Only  Memory)またはハードディスク等の記憶装置に格納されたコンピュータ・プログラムを読み出し、ＣＰＵにより実行されるコンピュータ・プログラムが、記憶装置に格納されたデータベース(ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わない。
【００６１】
次に、本発明の実施形態に係る振込先一覧表示システム１における振込先一覧表示処理について説明する。図８は、本発明の実施形態に係る振込先一覧表示システム１が実行する振込先一覧表示処理を説明する図である。
【００６２】
ステップＳ１において、端末１０の端末制御手段１０２は、入出力手段１０１に振込依頼初期画面を表示する制御を行う。
【００６３】
ステップＳ２において、端末１０の端末制御手段１０２は、ステップＳ１で入出力手段１０１に表示した振込依頼初期画面において、義捐金振込と表示されたボタンが、ユーザにより操作された否かを判定する。端末制御手段１０２は、義捐金振込と表示されたボタン（図３参照）が操作されたと判定した場合にはステップＳ３に処理を移し、通常振込と表示されたボタン（図３参照）が操作されたと判定した場合にはステップＳ１０に処理を移す。
【００６４】
ステップＳ３において、端末１０の端末制御手段１０２は、特定振込依頼情報を振込受付システム２０に送信する。
【００６５】
ステップＳ４において、振込受付システム２０の振込依頼受付手段２０１は、端末１０の端末制御手段１０２から特定振込依頼情報を受信する。
【００６６】
ステップＳ５において、振込受付システム２０の振込先選択画面情報生成手段２０２は、ステップＳ４で振込依頼受付手段２０１が特定振込依頼情報を受信すると、振込先管理ＤＢ２１０（図４参照）を参照し、端末１０において、振込先口座情報を振込金目的情報毎に分類して表示するためであり、ユーザが複数の概要情報を選択可能な振込先選択画面情報を生成する。
【００６７】
ステップＳ６において、振込受付システム２０の振込先選択画面情報送信手段２０３は、ステップＳ５で振込先選択画面情報生成手段２０２が生成した振込先選択画面情報を端末１０に送信する。
【００６８】
ステップＳ７において、端末１０の端末制御手段１０２は、振込受付システム２０から受信した振込先選択画面情報に基づき、入出力手段１０１に表示する振込先選択画面（図５参照）において、概要情報を振込金目的情報毎に分類して表示する制御を行う。
【００６９】
ステップＳ８において、端末１０の端末制御手段１０２は、端末制御手段１０２は、ステップＳ７で表示した振込先選択画面において、ユーザにより次へボタン（図５参照）が操作された場合、入出力手段１０１に表示する画面を、振込先選択画面から振込繰り延べ承認画面（図６参照）に遷移させる。
【００７０】
ステップＳ９において、端末１０の端末制御手段１０２は、ステップＳ８で表示した振込繰り延べ承認画面（図６参照）において、ユーザにより「承諾して手続を完了する」ボタンが操作された場合、振込先選択画面（図５参照）でユーザに選択された１つ又は複数の概要情報、ユーザに入力された振込金額情報、ユーザに入力された振込人を示す振込人情報及び振込繰り延べ承認情報を、振込受付システム２０に送信する。なお、端末１０の端末制御手段１０２は、振込繰り延べ承認画面（図６参照）において、例えば、ユーザにより「承諾しない」ボタンが操作された場合にはステップＳ１に処理を戻し、ユーザにより「承諾して更に検索する」ボタンが操作された場合にはステップＳ７に処理を戻す。
【００７１】
ステップＳ１０において、端末１０の端末制御手段１０２は、ユーザにより入力された口座番号を示す口座番号情報、振込金額を示す振込金額情報、振込人を示す振込人情報を振込受付システム２０に送信する。
【００７２】
ステップＳ１１において、振込受付システム２０の振込依頼受付手段２０１は、ステップＳ９で端末１０から送信された１つ又は複数の概要情報、振込金額情報及び振込人情報、又は、ステップＳ１０で端末１０から送信された口座番号情報、振込金額情報及び振込人情報を受信する。また、本ステップにおいて、振込受付システム２０の振込繰り延べ承認受付手段２０５は、端末１０から送信された振込繰り延べ承認情報を受け付ける。
【００７３】
ステップＳ２０において、振込受付システム２０は、勘定系システム３０と協働して振込処理を実行する。図９は、本発明の実施形態に係る振込受付システム２０及び勘定系システム３０が実行する振込処理を説明する図である。
【００７４】
ステップＳ２１において、振込受付システム２０の口座番号特定手段２０４は、振込先管理ＤＢ２１０（図４参照）を参照して、ステップＳ１１で振込依頼受付手段２０１が受信した概要情報の口座番号情報を特定する。また、口座番号特定手段２０４は、ステップＳ１１で振込依頼受付手段２０１が端末制御手段１０２から複数の概要情報を受信した場合には、振込先管理ＤＢ２１０を参照して、当該複数の概要情報の口座番号情報をそれぞれ特定する。
【００７５】
ステップＳ２２において、振込受付システム２０の振込処理依頼情報生成手段２０６は、ステップＳ１１で振込依頼受付手段２０１が受信した振込金額情報及び振込人情報と、ステップＳ２１で口座番号特定手段２０４が特定した口座番号情報と、ステップＳ１１で振込繰り延べ承認受付手段２０５が受け付けた振込繰り延べ承認情報と、を含む振込処理依頼情報を生成する。また、振込処理依頼情報生成手段２０６は、ステップＳ２１で口座番号特定手段２０４が複数の概要情報の口座番号情報をそれぞれ特定した場合には、当該口座番号情報を含む複数の振込処理依頼情報をそれぞれ生成する。また、振込処理依頼情報生成手段２０６は、ステップＳ４で振込依頼受付手段２０１が端末１０から特定振込依頼情報を受信していない場合には、端末１０においてユーザが入力した口座番号を示す口座番号情報と、振込金額を示す振込金額情報と、振込人を示す振込人情報と、を含む振込処理依頼情報を生成する。
【００７６】
ステップＳ２３において、振込受付システム２０の振込処理依頼情報送信手段２０７は、ステップＳ２２で振込処理依頼情報生成手段２０６が生成した振込処理依頼情報を勘定系システム３０に送信する。また、振込処理依頼情報送信手段２０７は、ステップＳ２２で振込処理依頼情報生成手段２０６が複数の振込処理依頼情報を生成した場合には、当該複数の振込処理依頼情報を、それぞれ勘定系システム３０に送信する。
【００７７】
ステップＳ２４において、勘定系システム３０の振込依頼情報受信手段３０１は、ステップＳ２３で振込受付システム２０の振込処理依頼情報送信手段２０７から送信された振込処理依頼情報を受信する。
【００７８】
ステップＳ２５において、勘定系システム３０の振込依頼情報判定蓄積手段３０２は、ステップＳ２４で振込依頼情報受信手段３０１で受信した振込処理依頼情報に、振込繰り延べ承認情報が含まれているか否かを判定する。振込依頼情報判定蓄積手段３０２は、振込繰り延べ承認情報が含まれていると判定した場合にはステップＳ２６に処理を移し、振込繰り延べ承認情報が含まれていないと判定した場合にはステップＳ２７に処理を移す。
【００７９】
ステップＳ２６において、勘定系システム３０の振込依頼情報判定蓄積手段３０２は、振込処理依頼情報を振込蓄積ＤＢ４０に格納する。ステップＳ２７において、勘定系システム３０の振込依頼情報判定蓄積手段３０２は、振込処理依頼情報を振込依頼格納ＤＢ３１０に順次格納する。
【００８０】
ステップＳ２８において、勘定系システム３０の振込処理実行手段３０３は、振込依頼格納ＤＢ３１０から振込処理依頼情報を読み出し、当該振込処理依頼情報に基づき、振込先の口座に入金する処理を実行する。また、本ステップにおいて、振込処理実行手段３０３は、所定の周期や振込処理の負荷が比較的低いときに、振込蓄積ＤＢ４０に格納された振込処理依頼情報を読み出し、当該振込処理依頼情報に基づき、振込先の口座に入金する処理を実行する。
【００８１】
ステップＳ２９において、振込受付システム２０の累計額算出手段２０８は、ステップＳ１１で振込依頼受付手段２０１が受信した振込金額情報の値を、振込先管理ＤＢ（図４参照）において、ステップＳ２１で口座番号特定手段２０４が特定した口座番号情報に対応付けられた累計額情報の値に、加算する。
【００８２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００８３】
１      振込先一覧表示システム
１０    端末
１０１  入出力手段
１０２  端末制御手段
２０    振込受付システム
２０１  振込依頼受付手段
２０２  振込先選択画面情報生成手段
２０３  振込先選択画面情報送信手段
２０４  口座番号特定手段
２０５  振込繰り延べ承認受付手段
２０６  振込処理依頼情報生成手段
２０７  振込処理依頼情報送信手段
２０８  累計額算出手段
２１０  振込先管理ＤＢ
３０    勘定系システム
３０１  振込依頼情報受信手段
３０２  振込依頼情報判定蓄積手段
３０３  振込処理実行手段
３１０  振込依頼格納ＤＢ
４０    振込蓄積ＤＢ
【図１】
2014048740.tif 000003
【図２】
2014048740.tif 000004
【図３】
2014048740.tif 000005
【図４】
2014048740.tif 000006
【図５】
2014048740.tif 000007
【図６】
2014048740.tif 000008
【図７】
2014048740.tif 000009
【図８】
2014048740.tif 000010
【図９】
2014048740.tif 000011